(57)【特許請求の範囲】
【請求項１】
被洗浄物に向けて高圧液を噴射して洗浄する洗浄部を有し、この洗浄部において高圧液を被洗浄物に噴射することで、被洗浄物から剥離脱落した汚れと、洗浄に供した洗浄液を漏斗形状案内枠を介して一時貯留する洗浄滓集積ボックスを有し、この洗浄滓集積ボックスは、脇板と下方に開閉可能に構成した底板とを有し、底板周縁部に前記脇板を外側から被うように立ち上がり部を形成して、洗浄滓および洗浄液の漏れを防止するようにし、前記脇板上部側から洗浄に供した洗浄液をオーバーフローさせるオーバーフロー手段を設けると共に、このオーバーフロー手段に前記洗浄液中に混在する洗浄滓を捕捉するフィルタ手段を設ける構成としたことを特徴とする高圧洗浄装置。
【請求項２】
前記底板下面にキャスタを設ける一方、補強用の中空角枠を延設し、これら中空角枠間に、所定位置に押し込み搬入するための搬入出手段を当接させるストッパを設け、前記脇板における上端側の内側面に、前記洗浄滓集積ボックスを吊上げるためのフックを折り畳み可能に設け、前記搬入出手段によりフックを介して前記洗浄滓集積ボックスを吊り上げ、廃棄物集積施設に搬送して底板を開放して洗浄滓を放出する構成としたことを特徴とする請求項１記載の高圧洗浄装置。
【請求項３】
前記洗浄部と洗浄滓集積ボックスとの間を、洗浄滓および洗浄液を案内する前記漏斗形状案内枠によって囲うと共に、前記漏斗形状案内枠を弾性部材によって構成したことを特徴とする請求項１または２記載の高圧洗浄装置。
【発明の詳細な説明】
【０００１】
【発明の属する技術分野】
本発明は、土木建設工事等に使用される仮設資材の汚れを高圧の洗浄液によって落とす際、洗浄に供した洗浄液を汚れと共に一時貯留しておくための洗浄滓集積ボックスを備えた高圧洗浄装置に関するものである。
【０００２】
【従来の技術】
現在、土木建設工事に使用される仮設資材は、多種、大量にあり、その保守維持管理をすることが、能率的、且つ合理的に建設工事を進める重要要素の一つと言われている。
かかる仮設資材は、工事現場において使用されることから、さまざまな汚れが付きやすく（特に塗料）、撤去後における保守作業のほとんどは、汚れを落とす作業が大きなウエイトを占めていると言っても過言ではない。
現在では、前記汚れを落とす手段として、リング式、ブラシ式、そして打撃式等がある。
しかしながら、いずれの手段においても、基本的には金属で表面をこするだけのものに過ぎず、仮設資材表面には、紛状の残渣が残ることが多く、その上仮設資材が損傷してしまう虞がある。
そこで、最近では、高圧の洗浄液、すなわち高圧水を汚れの付いた仮設資材に当てて、汚れを剥離すると共に、洗浄するという手段が提案されている。かかる手段によれば、従来の手段による不都合が改善され、今後、仮設資材の汚れを落とす手段として大いに普及することになろう。
【０００３】
【発明が解決しようとする課題】
ただ、前記の手段では大量の高圧水を使用するため、作業にあたって、騒音、使用済みの高圧水、および汚れの処理に十分な対策を講ずる必要がある。
本発明は、このような背景から提案されたものであって、土木建設工事等に使用される仮設資材の汚れを高圧の洗浄水によって落とす際、洗浄に供した洗浄水を汚れと共に一時貯留しておくための洗浄滓集積ボックスを備えた高圧洗浄装置を提供することを目的とする。
【０００４】
【課題を解決するための手段】
前記した課題を解決するために、本発明では、請求項１において、被洗浄物に向けて高圧液を噴射して洗浄する洗浄部を有し、この洗浄部において高圧液を被洗浄物に噴射することで、被洗浄物から剥離脱落した汚れと、洗浄に供した洗浄液を漏斗形状案内枠を介して一時貯留する洗浄滓集積ボックスを有し、この洗浄滓集積ボックスは、脇板と下方に開閉可能に構成した底板とを有し、底板周縁部に前記脇板を外側から被うように立ち上がり部を形成して、洗浄滓および洗浄液の漏れを防止するようにし、前記脇板上部側から洗浄に供した洗浄液をオーバーフローさせるオーバーフロー手段を設けると共に、このオーバーフロー手段に前記洗浄液中に混在する洗浄滓を捕捉するフィルタ手段を設ける構成とした高圧洗浄装置を提案する。
また本発明では、請求項２において、前記底板下面にキャスタを設ける一方、補強用の中空角枠を延設し、これら中空角枠間に、所定位置に押し込み搬入するための搬入出手段を当接させるストッパを設け、前記脇板における上端側の内側面に、前記洗浄滓集積ボックスを吊上げるためのフックを折り畳み可能に設け、前記搬入出手段によりフックを介して前記洗浄滓集積ボックスを吊り上げ、廃棄物集積施設に搬送して底板を開放して洗浄滓を放出する構成とした高圧洗浄装置を提案する。
さらに本発明では、請求項３において、前記洗浄部と洗浄滓集積ボックスとの間を、洗浄滓および洗浄液を案内する前記漏斗形状案内枠によって囲うと共に、前記漏斗形状案内枠を弾性部材によって構成した高圧洗浄装置を提案する。
【０００５】
【発明の実施の形態】
次に、本発明にかかる高圧洗浄装置について、一つの実施の形態を示し、添付の図面に基づいて以下説明する。
図１に被洗浄物である使用済みの仮設建設資材（以下、ワークという）（後述）の表面に向けて高圧水を噴射して、ワーク表面に付着した汚れを、剥離洗浄する高圧洗浄装置１を示す。
この高圧洗浄装置１は、搬入ラインを介して搬入されたワークを、高圧の洗浄水によって洗浄するための洗浄部、すなわち洗浄室２を有し、この洗浄室２内にワークを搬送する搬送案内ロ−ラ３が所定間隔毎に複数配設されている。また前記洗浄室２には、搬送案内ロ−ラ３上を移動するワークの上方から、ワークに高圧の洗浄水を噴射する洗浄ユニット４が備えられている。そして、前記搬送案内ロ−ラ３下方には、洗浄に供した洗浄水を剥離した汚れと共に一時貯留する洗浄滓集積ボックス５が備えられている。
【０００６】
前記洗浄ユニット４は、第１の回転ノズル装置６および第２の回転ノズル装置７を備えている。これら第１、第２回転ノズル装置６、７は、ノズル基部８、９に対して回転自在な放射線状に配した複数のノズルアーム１０、１１を有し、ノズルアーム１０、１１先端にノズルチップ（図示省略）を設けて、これらノズルアーム１０、１１を介して高圧洗浄水を供給するようにしている。
なお、前記ノズルアーム１０、１１は、ワークの幅寸法の違いに対応できるように、互いに異なる長さの水平部位を有しており、さらにノズルアーム１０、１１先端のノズルチップを回転中心軸に指向させるようにしている。
【０００７】
前記搬送案内ロ−ラ３と、搬送案内ロ−ラ３下方における洗浄滓集積ボックス５間には、漏斗形状案内枠１２が囲うように設けられ、高圧洗浄水によってワークから剥離脱落した汚れと共に洗浄ずみの水を洗浄滓集積ボックス５内に誘導するようにしている。前記漏斗形状案内枠１２は、弾性部材によって構成することで、洗浄室２より発生する騒音を抑えるようにしている。
【０００８】
ここで、以上のように構成される高圧洗浄装置１について、洗浄動作を行わしめるための空圧系統、並びに、用水供給系統を示して説明する。先ず用水供給系統については、洗浄ユニット４の第１回転ノズル装置６および第２回転ノズル装置７に、高圧のプランジャーポンプ（図示省略）によって制御操作盤１３を介し高圧洗浄水供給路Ｌwhを通り、高圧の洗浄水を供給する構成としている。前記プランジャーポンプは、図示は省略するが、３００リットルほどの洗浄水を貯留しておくタンクから水を吸引して、高圧状態で水を前記第１回転ノズル装置６および第２回転ノズル装置７に供給するようにしている。
【０００９】
前記高圧洗浄装置１において、さらに洗浄室２内の搬送案内ロ−ラ３におけるワーク取り出し側には、洗浄ユニット４によって汚れが剥離除去されたワーク表面を洗うための、低圧洗浄ノズル１４が配設され、リンス用水供給路Ｌrから、比較的低圧のリンス用水を供給するようにしている。前記低圧洗浄ノズル１４は、搬送案内ロ−ラ３によって送り出されたワーク上面下面を洗い流すように配置されている。
さらに、前記漏斗形状案内枠１２の搬送案内ロ−ラ３におけるワーク導入側および取り出し側には、搬送案内ロ−ラ３下方の洗浄滓集積ボックス５に至る箇所周辺に付着した、ワークから剥離した汚れを洗い流すための滓落とし用水供給路Ｌsが形成されている。
【００１０】
また、前記搬送案内ロ−ラ３におけるワーク取り出し側の低圧洗浄ノズル１４の近傍には、洗浄ずみのワーク上面下面にエアを吹き付けるためのブローノズル１５、１５が配設され、図示しないブロワからの乾燥用エアを供給するための乾燥用エア供給路Ｌadが形成されている。
【００１１】
そして、以上のような構造の高圧洗浄装置１に適用した洗浄滓集積ボックス５について、詳細に説明する。
図２に示すように、洗浄滓集積ボックス５は、高圧洗浄装置１における搬送案内ロ−ラ３下方の所定位置に、装置内に設けられた案内通路（後述）を介して搬入出手段により載置して、漏斗形状案内枠１２を介して流下する被洗浄物から剥離脱落した汚れと、洗浄に供した洗浄水を一時貯留しておくものであって、この洗浄滓集積ボックス５は、平面長方形状に形成した脇板１６と、脇板１６に対して底板１７を蝶番１８を回転中心として下方に開放するように構成されたものである。
【００１２】
この底板１７の周縁部には、底板１７が脇板１６に当接した際に、脇板１６外側面に当たるようにした所定寸法の立ち上がり部１９が設けられている（図３参照）。また前記底板１７において、蝶番１８によって脇板１６側に固定保持された一縁側と対向する縁部、すなわち立ち上がり部１９外側側面に一対の係止ボルト２０、２０が立ち上がり部１９外側側面から貫通して脇板１６外側面を介して脇板１６内に着脱可能に装着されており（図４参照）、これら係止ボルト２０、２０を抜去することで、底板１７を蝶番１８を回転中心として下方に開放するようにしている（図５参照）。さらに底板１７底面の、底面隅角近傍には、移動用キャスタ２１ａ、２１ｂ、２１ｃ、２１ｄが配設されると共に、蝶番１８が設けられた一縁側から、係止ボルト２０、２０が装着された対向する縁部側に指向して、補強用の中空角枠２２、２２が延設されている。また、これら中空角枠２２、２２間には、この洗浄滓集積ボックス５を高圧洗浄装置１内の所定位置に押し込み搬入するための搬入出手段（例えばフォークリフト）の爪を当接させるストッパ２３が設けられている。
【００１３】
一方、前記脇板１６において、前記蝶番１８および係止ボルト２０、２０を設けた側の対向する脇板１６とは別異の、対向する脇板１６の底板１７に近接する箇所に一対のガイド用キャスタ２４ａ、２４ｂ、２４ｃ、２４ｄが設けられている。これらガイド用キャスタ２４ａ〜２４ｄは、洗浄滓集積ボックス５を装置内に設けられた案内通路２５を円滑に通過させるためのものであり、フォークリフト（後述）により移動用キャスタ２１ａ〜２１ｄを作動させて、前記洗浄滓集積ボックス５を高圧洗浄装置１における搬送案内ロ−ラ３下方の所定位置にもたらしたり、かかる所定位置からの洗浄滓集積ボックス５の搬出を容易にしている（図６、図７参照）。
また、前記蝶番１８および係止ボルト２０、２０を設けた側の対向する脇板１６における上端側の内側面には、起重機、荷揚げ運搬機（フォークリフト等）によって洗浄滓集積ボックス５を吊上げるためのコ型形状のフック２６ａ、２６ｂ、２６ｃ、２６ｄが折り畳み可能に設けられている。
さらに、これらフック２６ａ〜２６ｄを装着した以外の脇板１６における上端近傍の内側面に、ボックス５内に使用後の洗浄水が汚れと共に貯留され、汚れが自重から底板１７側に溜って、いわゆる上澄み状態になった洗浄水をオーバーフローさせて、排水するためのオーバーフローパイプ２７を設けている。なお、オーバーフローパイプ２７に洗浄水中に浮遊する微細な汚れを除去するためのフィルタ（例えば金網等）を設けることができる。
【００１４】
以上のような高圧洗浄装置１において、仮設建設資材（ワーク）の洗浄手順、洗浄滓の排出手順を説明する。
建築現場等で敷設した仮設建設資材（足場板、筋違、布板、安全鋼板等）が、周知の搬入ラインを介して、高圧洗浄装置１に送り込まれると、搬送案内ロ−ラ３により、ワークは、洗浄ユニット４直下にもたらされる。この際、洗浄ユニット４を構成する第１回転ノズル装置６および第２回転ノズル装置７のうちの、ノズルアーム１０、１１によって決定づけられる洗浄範囲が送り込まれたワークに対応したものを選択して洗浄操作をすることができる。すなわち、洗浄ユニット４直下にもたられたワークの幅寸法に応じて、第１回転ノズル装置６を用いるか、第２回転ノズル装置７を用いるかを、選択動作させることができる。
【００１５】
高圧のプランジャーポンプによって制御操作盤１３を介し高圧洗浄水供給路Ｌwhを通り、高圧の洗浄水が第１回転ノズル装置６、または第２回転ノズル装置７に供給されると、高圧洗浄水は、ノズルアーム１０、１１を通って、ノズルチップから、ワーク表面に噴射される。この際、高圧洗浄水は円弧を描くようにワーク表面に当たるので、ワーク表面における汚れは効果的に剥離脱落する。
【００１６】
次いで、ワークが搬送案内ロ−ラ３により取り出し側にもたらされると、汚れが剥離除去されたワーク表面に、リンス用水供給路Ｌrから低圧洗浄ノズル１４に供給された比較的低圧のリンス用水が噴射され、洗浄を行うことができる。
そして、ブロワからの乾燥用エアが、乾燥用エア供給路Ｌadを介してブローノズル１５、１５に供給され、ブローノズル１５、１５から前記乾燥用エアを洗浄ずみのワーク上面下面に噴射して、乾燥させることができ、搬出ラインによってワークを送り、次の使用に供することができるように保管することができる。
【００１７】
以上のようにして、ワークから剥離離脱した汚れ（洗浄滓）は、高圧洗浄水、リンス用水と共に洗浄滓集積ボックス５に漏斗状に形成された漏斗形状案内枠１２を介して流入集積し、一時貯留することができる。その際、漏斗状に形成された漏斗形状案内枠１２には、途中で汚れが留まることのないように滓落とし用水供給路Ｌsから流下水が供給される。
なお、以上のような洗浄過程では、高圧洗浄水をワークに当てて洗浄がなされるので、相応の騒音が発生するが、搬送案内ロ−ラ３下方と洗浄滓集積ボックス５間を、ゴム製の漏斗形状案内枠１２により囲うことにより、前記騒音を緩和することができる。
【００１８】
洗浄滓集積ボックス５内に高圧洗浄水、リンス用水、流下水と共に汚れが溜っていくと、汚れは自重から底板１７側に堆積していくので、徐々に固液分離が進み、前記洗浄水等のみが脇板１６における上端側のオーバーフローパイプ２７を介して外部へ排出される。なお、オーバーフローパイプ２７において、前記洗浄水中に浮遊する軽質な汚れをフィルタによって瀘し取ることができる。
【００１９】
かくして汚れが洗浄滓集積ボックス５の脇板１６における上端側まで溜ると、洗浄作業を停止して、フォークリフトの爪を洗浄滓集積ボックス５の底板１７における中空角枠２２、２２間に差し入れて持ち上げるような状態で高圧洗浄装置１から案内通路２５を介して洗浄滓集積ボックス５の取り出しを行う（図６参照）。この際、脇板１６の底板１７に近接する箇所のガイド用キャスタ２４ａ〜２４ｄによって、案内通路２５を円滑に通過させることができ、容易に洗浄滓集積ボックス５を取り出すことができる。
そして、脇板１６におけるフック２６ａ〜２６ｄにフォークリフト２８のフォーク爪２９を通して洗浄滓集積ボックス５を吊上げ、あらかじめ備え付けの産業廃棄ボックス３０の上方にもたらし、底板１７を止める係止ボルト２０、２０を引き抜けば、底板１７は蝶番１８を回転中心として下方に開口し、洗浄滓の堆積物を放出することができる（図８参照）。
このように、洗浄に供した水を汚れと共に、一旦洗浄滓集積ボックス５に集積し、洗浄水と汚れとを分離して、水のみを先ず排水するようにし、汚れを堆積した状態で、産業廃棄ボックス３０に蓄えるようにしたので、垂れ流しによる環境汚染等の虞はない。
【００２０】
【発明の効果】
以上のとおり、本発明によれば、大量の洗浄水を使用することによる、騒音を抑え、しかも、外部に、剥離洗浄した汚れを含んだまま垂れ流すことによる、公害の防止にも寄与することができる。
【００２１】
【図面の簡単な説明】
【図１】本発明にかかる高圧洗浄装置の一例を示す、模式的な構成説明図である。
【図２】図１に示す高圧洗浄装置に適用した、洗浄滓集積ボックスの模式的な平面説明図である。
【図３】図２に示す洗浄滓集積ボックスの模式的な一側面説明図である。
【図４】図２に示す洗浄滓集積ボックスの模式的な別側面説明図である。
【図５】図２に示す洗浄滓集積ボックスの底板を開放した状態を示す、模式的な側面説明図である。
【図６】図２に示す洗浄滓集積ボックスの高圧洗浄装置への搬入、搬出を行う際の模式的な平面説明図である。
【図７】図６に示す洗浄滓集積ボックスの搬入、搬出を行う際の模式的な側面説明図である。
【図８】図６に示す洗浄滓集積ボックスをフォークリフトで持ち上げ、底板を開放して堆積した洗浄滓を廃棄するところを示す、模式的な側面図である。
【符号の説明】
１                            高圧洗浄装置
２                            洗浄室
３                            搬送案内ローラ
４                            洗浄ユニット
５                            洗浄滓集積ボックス
６                            第１回転ノズル装置
７                            第２回転ノズル装置
８、９                        ノズル基部
１０、１１                      ノズルアーム
１２                            漏斗形状案内枠
１３                            制御操作盤
１４                            低圧洗浄ノズル
１５                            ブローノズル
１６                            脇板
１７                            底板
１８                            蝶番
１９                            立ち上がり部
２０                            係止ボルト
２１ａ〜２１ｄ                  移動用キャスタ
２２                            中空角枠
２３                            ストッパ
２４ａ〜２４ｄ                  ガイド用キャスタ
２５                            案内通路
２６ａ〜２６ｄ                  フック
２７                            オーバーフローパイプ
２８                            フォークリフト
２９                            フォーク爪
３０                            産業廃棄ボックス
Ｌwh                          高圧洗浄水供給路
Ｌr                           リンス用水供給路
Ｌs                           滓落とし用水供給路
Ｌad                          乾燥用エア供給路
【図１】
0003575655.tif 000002
【図２】
0003575655.tif 000003
【図３】
0003575655.tif 000004
【図４】
0003575655.tif 000005
【図５】
0003575655.tif 000006
【図６】
0003575655.tif 000007
【図７】
0003575655.tif 000008
【図８】
0003575655.tif 000009